(57)【特許請求の範囲】
【請求項１】
第１の出力信号線を通じて負荷の第１の入力端子に第１の出力電圧を出力する第１の電源モジュールであって、前記負荷の第１の入力端子における電圧をリモートセンシングによって検出し、検出された電圧に基づいて、前記第１の出力電圧の値を調整する第１の電源モジュールと、
第２の出力信号線を通じて前記負荷の第２の入力端子に第２の出力電圧を出力する第２の電源モジュールと、
前記第２の電源モジュールを制御する制御手段と、
を有する電源装置であって、
前記制御手段は、
（１）前記第１の電源モジュールによって検出された前記第１の入力端子における電圧と、
（２）前記第１の出力電圧と、
（３）前記第１の出力信号線に流れる第１の電流と、
（４）前記第２の出力電圧と、
（５）前記第２の出力信号線に流れる第２の電流と、
（６）前記第２の出力信号線の抵抗と前記第１の出力信号線の抵抗との比と、
に基づいて、第２の入力端子における電圧を求め、求めた電圧を、前記第２の電源モジュールを制御するための制御電圧として、前記第２の電源モジュールに出力し、
前記第２の電源モジュールは、
前記制御電圧に基づいて、前記第２の出力電圧の値を調整する、電源装置。
【請求項２】
前記第１の電流を測定する第１の電流測定手段と、
前記第２の電流を測定する第２の電流測定手段と、
を有する、請求項１に記載の電源装置。
【請求項３】
前記制御電圧は、以下の式で求められる、請求項１又は２に記載の電源装置。
Ｖｉ２’＝Ｖｏ２−Ａ２１＊（Ｖｏ１−Ｖｉ１）＊（Ｉ２／Ｉ１）
ここで、Ｖｉ２’：前記制御電圧
Ｖｏ２：前記第２の電源モジュールの出力電圧
Ａ２１：前記第２の出力信号線の抵抗と前記第１の出力信号線の抵抗との比
Ｖｏ１：前記第１の電源モジュールの出力電圧
Ｖｉ１：前記負荷の第１の入力端子における電圧
Ｉ２：前記第２の出力信号線に流れる電流
Ｉ１：前記第１の出力信号線に流れる電流
【請求項４】
Ａ２１の値を調節するためのトリマを有する、請求項３に記載の電源装置。
【請求項５】
前記制御電圧は、以下の式で求められる、請求項１に記載の電源装置。
Ｖｉ２’＝Ｖｏ２−（Ａ２１＊Ｂ２１）＊（Ｖｏ１−Ｖｉ１）
ここで、Ｖｉ２’：前記制御電圧
Ｖｏ２：前記第２の電源モジュールの出力電圧
Ａ２１：前記第２の出力信号線の抵抗と前記第１の出力信号線の抵抗との比
Ｂ２１：前記第２の電流と前記第１の電流との比
Ｖｏ１：前記第１の電源モジュールの出力電圧
Ｖｉ１：前記負荷の第１の入力端子における電圧
【請求項６】
Ａ２１＊Ｂ２１の値を調節するためのトリマを有する、請求項５に記載の電源装置。
【請求項７】
請求項１〜６のうちのいずれか一項に記載の電源装置を有する磁気共鳴イメージング装置。
【請求項８】
被検体から磁気共鳴信号を受信する複数のコイルエレメントを有するコイル装置と、
前記複数のコイルエレメントが受信した磁気共鳴信号をデジタル変換する複数の受信器と、
前記複数のコイルエレメントと前記複数の受信器との接続を切り替えるスイッチと、
を有し、
前記電源装置は、ケーブルを介して、前記スイッチに電力を供給する、請求項７に記載の磁気共鳴イメージング装置。
【発明の詳細な説明】
【技術分野】
【０００１】
本発明は、負荷に電力を供給する電源装置、および磁気共鳴イメージング装置に関する。
【背景技術】
【０００２】
ＤＣ（Direct
Current）電源と、ＤＣ電源から電力の供給を受ける装置とをケーブルで接続する場合、ＤＣ電源と、電力の供給を受ける装置との間の距離に応じて、ケーブルの長さを調整しなければならないことがある。しかし、ケーブルの長さを変えると、ケーブルの電圧降下が変わるため、装置に入力される電圧の値も変わってくるという問題がある。
この問題を解決する方法として、ケーブル長に合わせてＤＣ電源側の出力電圧を手動で切り替える方法があるが、この方法では、出力電圧を切り替える作業に手間が掛かるという問題がある。
また、別の方法として、電源電圧を高めに設定しておき、装置側で所望の電圧にレギュレートする方法がある。しかし、この方法では、余分な電圧はレギュレータの発熱の原因になるという問題がある。
この問題を解決する方法として、ＤＣ電源にリモートセンシングという機能を持たせる方法が知られている（特許文献１参照）。ＤＣ電源にリモートセンシング機能を持たせることによって、電力の供給を受ける装置の入力端子における電圧が所望の値になるように、ＤＣ電源が自動で出力電圧を調整することができる。
【先行技術文献】
【特許文献】
【０００３】
【特許文献１】特開2005-287131号公報
【発明の概要】
【発明が解決しようとする課題】
【０００４】
ＤＣ電源にリモートセンシング機能を持たせる場合、ケーブルには、リモートセンシング用の信号線が必要となる。したがって、電力の供給を受ける装置が、複数のＤＣ電源を必要とする場合、ＤＣ電源ごとにリモートセンシング機能を持たせようとすると、ケーブルに備えなければならないリモートセンシング用の信号線の総数が増加する。しかし、１本のケーブルに備えることができる信号線の総数は限られているので、必要となるリモートセンシング用の信号線の数が多くなると、１本のケーブルのみでは、必要な全てのリモートセンシング用の信号線を賄うことができなくなる。この場合、更に別のケーブルを準備しなければならず、ケーブルの本数が増加するという問題がある。
【０００５】
本発明は、上記の事情に鑑み、リモートセンシング用の信号線の数を低減することが可能な電源装置、および磁気共鳴イメージング装置を提供することを目的とする。
【課題を解決するための手段】
【０００６】
上記の問題を解決する本発明の電源装置は、
第１の出力信号線を通じて負荷の第１の入力端子に第１の出力電圧を出力する第１の電源モジュールであって、前記負荷の第１の入力端子における電圧をリモートセンシングによって検出し、検出された電圧に基づいて、前記第１の出力電圧の値を調整する第１の電源モジュールと、
第２の出力信号線を通じて前記負荷の第２の入力端子に第２の出力電圧を出力する第２の電源モジュールと、
前記第２の電源モジュールを制御する制御手段と、
を有する電源装置であって、
前記制御手段は、
（１）前記第１の電源モジュールによって検出された前記第１の入力端子における電圧と、
（２）前記第１の出力電圧と、
（３）前記第１の出力信号線に流れる第１の電流と、
（４）前記第２の出力電圧と、
（５）前記第２の出力信号線に流れる第２の電流と、
（６）前記第２の出力信号線の抵抗と前記第１の出力信号線の抵抗との比と、
に基づいて、第２の入力端子における電圧を求め、求めた電圧を、前記第２の電源モジュールを制御するための制御電圧として、前記第２の電源モジュールに出力し、
前記第２の電源モジュールは、
前記制御電圧に基づいて、前記第２の出力電圧の値を調整する。
また、本発明の磁気共鳴イメージング装置は、本発明の電源装置を有している。
【発明の効果】
【０００７】
本発明では、第２の電源モジュールを制御する制御手段が、第１の電源モジュールによって検出された前記第１の入力端子における電圧等に基づいて、負荷の第２の入力端子における電圧を求めている。したがって、第２の電源モジュールは、第２の入力端子における電圧をリモートセンシングにより検出しなくても、第２の出力電圧の値を調整することができる。このため、第２の電源モジュールと負荷との間には、リモートセンシング用の信号線が不要になり、電源装置と負荷との間に必要となるリモートセンシング用の信号線の総数を削減することができる。
【図面の簡単な説明】
【０００８】
【図１】本発明の第１の実施形態の電源装置１と、電源装置１から電力が供給される負荷２とを示す概観図である。
【図２】電源装置１のブロック図である。
【図３】図１および図２に示す電源装置１を磁気共鳴イメージング装置に適用した例を示す図である。
【図４】磁場発生装置２に内蔵されたスイッチ２２および受信器２３と、ケーブル３と、電源装置１との接続関係の説明図である。
【図５】本発明の第２の実施形態の電源装置１０を示す図である。
【発明を実施するための形態】
【０００９】
以下、本発明について説明するが、本発明は、以下の実施形態に限定されることはない。
【００１０】
（１）第１の実施形態
図１は、本発明の第１の実施形態の電源装置１と、電源装置１から電力が供給される負荷２とを示す概観図である。
【００１１】
電源装置１は電力を発生する。負荷２は、電源装置１から電力が供給されることによって駆動する。負荷２は、例えば、電気回路や電気機器など、電気エネルギーを消費する各種の回路、機器、装置とすることができる。ケーブル３は、電源装置１が発生する電力を負荷２に伝送する。
【００１２】
図２は、電源装置１のブロック図である。
【００１３】
電源装置１は、ｚ個の電源モジュールＰＭ１〜ＰＭｚと、制御回路１１と、電流測定回路ＣＭ１〜ＣＭｚと、（ｚ−１）個のトリマＴ２１〜Ｔｚ１とを有している。
【００１４】
電源モジュールＰＭ１は出力端子１１ａとリモートセンシング用入力端子１１ｂとを有している。電源モジュールＰＭ１は、出力端子１１ａから出力電圧Ｖｏ１を出力する。出力電圧Ｖｏ１は、ケーブル３の出力信号線３１ａを通じて負荷２の第１の入力端子２１に供給される。尚、電源モジュールＰＭ１とケーブル３の出力信号線３１ａとの間には、ケーブル３の出力信号線３１ａに流れる電流Ｉ１を測定する電流測定回路ＣＭ１が設けられている。電流測定回路ＣＭ１を設けている理由については後述する。
【００１５】
また、電源モジュールＰＭ１は、負荷２の第１の入力端子２１における入力電圧Ｖｉ１を検出するリモートセンシング機能を有している。リモートセンシングにより検出した入力電圧Ｖｉ１は、ケーブル３のリモートセンシング用の信号線３１ｂを通じて、電源モジュールＰＭ１のリモートセンシング用入力端子１１ｂに入力される。電源モジュールＰＭ１は、検出した入力電圧Ｖｉ１に基づいて、負荷２の第１の入力端子２１における入力電圧Ｖｉ１が所望の値になるように出力電圧Ｖｏ１の値を調整する。
【００１６】
次に、電源モジュールＰＭ２〜ＰＭｚについて説明する。尚、電源モジュールＰＭ２〜ＰＭｚは同一構造であるので、電源モジュールＰＭ２〜ＰＭｚの説明にあたっては、代表して、電源モジュールＰＭ２について説明する。
【００１７】
電源モジュールＰＭ２は出力端子１２ａと制御用入力端子１２ｂとを有している。電源モジュールＰＭ２は、出力端子１２ａから出力電圧Ｖｏ２を出力する。出力電圧Ｖｏ２は、ケーブル３の出力信号線３２を通じて負荷２の第２の入力端子２２に供給される。電源モジュールＰＭ２とケーブル３の出力信号線３２との間には、ケーブル３の出力信号線３２に流れる電流Ｉ２を測定する電流測定回路ＣＭ２が設けられている。尚、その他の電源モジュールＰＭ３〜ＰＭｚとケーブル３との間にも、電流測定回路ＣＭ３〜ＣＭｚが設けられている。電流測定回路ＣＭ２〜ＣＭｚを設けている理由については後述する。
【００１８】
電源モジュールＰＭ２は、制御用入力端子１２ｂから入力された電圧に基づいて、負荷２の第２の入力端子２２における入力電圧Ｖｉ２が所望の値になるように出力電圧Ｖｏ２の値を調整している。しかし、電源モジュールＰＭ２は、電源モジュールＰＭ１とは異なり、リモートセンシングにより負荷２の第２の入力端子２２における入力電圧Ｖｉ２は検出しておらず、別の方法で入力電圧Ｖｉ２が所望の値になるように出力電圧Ｖｏ２の値を調整している。以下に、電源モジュールＰＭ２が、出力電圧Ｖｏ２の値をどのように調整しているかについて説明する。
【００１９】
第１の実施形態では、リモートセンシングにより負荷２の第２の入力端子２２における入力電圧Ｖｉ２を検出するのではなく、制御回路１１が、後述する式（１０）により規定される制御電圧Ｖｉ２’を電源モジュールＰＭ２に出力している。つまり、電源モジュールＰＭ２は、リモートセンシングにより負荷２の第２の入力端子２２における入力電圧Ｖｉ２を検出する代わりに、制御回路１１から制御電圧Ｖｉ２’を受け取り、出力電圧Ｖｏ２の値を調整している。式（１０）は、制御電圧Ｖｉ２’が、負荷２の第２の入力端子２２における入力電圧Ｖｉ２に実質的に等しい電圧になるように規定されている。したがって、電源モジュールＰＭ２は、制御回路１１が出力した制御電圧Ｖｉ２’に基づいて、負荷２の第２の入力端子２２における入力電圧Ｖｉ２を所望の値にすることができる。以下に、式（１０）の求め方について説明する。
【００２０】
電源モジュールＰＭ１の出力電圧Ｖｏ１と、ケーブル３の出力信号線３１ａの電圧降下Ｖｅ１と、負荷２の入力電圧Ｖｉ１との間には、以下の式（１）が成り立つ。また、電源モジュールＰＭ２の出力電圧Ｖｏ２と、ケーブル３の出力信号線３２の電圧降下Ｖｅ２と、負荷２の入力電圧Ｖｉ２との間には、以下の式（２）が成り立つ。
Ｖｏ１＝Ｖｉ１＋Ｖｅ１  ・・・（１）
Ｖｏ２＝Ｖｉ２＋Ｖｅ２  ・・・（２）
ただし、式（１）および（２）において、電源モジュールＰＭ１およびＰＭ２とケーブル３との間の電圧降下は無視する。
【００２１】
ケーブル３の出力信号線３１ａの電圧降下Ｖｅ１と、出力信号線３１ａの抵抗Ｒ１と、出力信号線３１ａに流れる電流Ｉ１との間には、以下の式（３）が成り立つ。また、ケーブル３の出力信号線３２の電圧降下Ｖｅ２と、出力信号線３２の抵抗Ｒ２と、出力信号線３２ａに流れる電流Ｉ２との間には、以下の式（４）が成り立つ。
Ｖｅ１＝Ｒ１＊Ｉ１  ・・・（３）
Ｖｅ２＝Ｒ２＊Ｉ２  ・・・（４）
【００２２】
式（１）〜（４）から、以下の式が成り立つ。
Ｖｏ１＝Ｖｉ１＋Ｒ１＊Ｉ１  ・・・（５）
Ｖｏ２＝Ｖｉ２＋Ｒ２＊Ｉ２  ・・・（６）
【００２３】
次に、抵抗Ｒ１およびＲ２の関係について考える。
ケーブル３の出力信号線３１ａおよび３２の抵抗Ｒ１およびＲ２は、ケーブル３の長さに比例する。したがって、ケーブル３が短くなれば、出力信号線３１ａおよび３２も短くなるので、抵抗Ｒ１およびＲ２の値は小さくなり、一方、ケーブル３が長くなれば、出力信号線３１ａおよび３２も長くなるので、抵抗Ｒ１およびＲ２の値は大きくなる。しかし、ケーブル３の長さに関わらず、出力信号線３１ａおよび３２の長さは等しい。したがって、ケーブル３の種類が特定されれば、ケーブル３の長さに関わらず、出力信号線３１ａの抵抗Ｒ１と出力信号線３２の抵抗Ｒ２との比は一定となる。すなわち、以下の式が成り立つ。
Ｒ２／Ｒ１＝Ａ２１  ・・・（７）
【００２４】
式（５）、（６）、および（７）から、以下の式が成り立つ。
Ｖｏ２＝Ｖｉ２＋Ｒ２＊Ｉ２
＝Ｖｉ２＋Ａ２１＊Ｒ１＊Ｉ２
＝Ｖｉ２＋Ａ２１＊（Ｖｏ１−Ｖｉ１）＊（Ｉ２／Ｉ１）  ・・・（８）
【００２５】
式（８）から、Ｖｉ２は、以下の式で表される。
Ｖｉ２＝Ｖｏ２−Ａ２１＊（Ｖｏ１−Ｖｉ１）＊（Ｉ２／Ｉ１）  ・・・（９）
【００２６】
式（９）より、Ｖｏ２、Ａ２１、Ｖｏ１、Ｖｉ１、Ｉ２、およびＩ１の値を得ることができれば、入力電圧Ｖｉ２が求まることが分かる。そこで、第１の実施形態では、制御回路１１は、式（９）に従って入力電圧Ｖｉ２を計算により求めている。ただし、上記のように、入力電圧Ｖｉ２を求めるためには、制御回路１１は、Ｖｏ２、Ａ２１、Ｖｏ１、Ｖｉ１、Ｉ２、およびＩ１の値を得なければならない。以下に、制御回路１１が、どのようにして、Ｖｏ２、Ａ２１、Ｖｏ１、Ｖｉ１、Ｉ２、およびＩ１の値を得ているかについて説明する。
（１）電圧Ｖｏ２、Ｖｏ１、およびＶｉ１について
制御回路１１は、電圧Ｖｏ２、Ｖｏ１、およびＶｉ１を検出することができるように、電源モジュールＰＭ１の端子１１ａおよび１１ｂと、電源モジュールＰＭ２の端子１２ａとに接続されている。したがって、制御回路１１は、電圧Ｖｏ２、Ｖｏ１、およびＶｉ１の値を得ることができる。
（２）電流Ｉ１およびＩ２について
第１の実施形態の電源装置１は、電流測定回路ＣＭ１およびＣＭ２を有している。電流測定回路ＣＭ１は、電源モジュールＰＭ１の出力端子１１ａと負荷２の第１の入力端子２１との間に位置しており、ケーブル３の出力信号線３１ａを流れる電流Ｉ１を測定する。一方、電流測定回路ＣＭ２は、電源モジュールＰＭ２の出力端子１２ａと負荷２の第２の入力端子２２との間に位置しており、ケーブル３の出力信号線３２を流れる電流Ｉ２を測定する。
電流測定回路ＣＭ１およびＣＭ２は、測定した電流Ｉ１およびＩ２を制御回路１１に出力する。したがって、制御回路１１は、電流Ｉ１およびＩ２の値を得ることができる。
（３）抵抗比Ａ２１について
第１の実施形態の電源装置１は、抵抗比Ａ２１の値を調整するためのトリマＴ２１を有している。トリマＴ２１は、例えば可変抵抗器であり、電源装置１を使うユーザによって調整される。抵抗比Ａ２１は、使用されるケーブル３の種類が決まれば、ケーブル３の長さに関わらず決まった値になる。したがって、電源装置１を使用するユーザが、使用されるケーブル３の種類に従ってトリマＴ２１を調整することによって、制御回路１１は、抵抗比Ａ２１の値を得ることができる。
【００２７】
上述したように、制御回路１１は、Ｖｏ２、Ａ２１、Ｖｏ１、Ｖｉ１、Ｉ２、およびＩ１の値を得ることができるので、式（９）の演算を行うことによって、第２の入力端子２２における入力電圧Ｖｉ２を求めることができる。制御回路１１は、式（９）の演算により得られた入力電圧Ｖｉ２を、制御電圧Ｖｉ２’として、電源モジュールＰＭ２に出力する。したがって、制御電圧Ｖｉ２’は、式（９）のＶｉ２をＶｉ２’に置き換えた以下の式で表される。
Ｖｉ２’＝Ｖｏ２−Ａ２１＊（Ｖｏ１−Ｖｉ１）＊（Ｉ２／Ｉ１）  ・・・（１０）
【００２８】
式（１０）により計算される制御電圧Ｖｉ２’は、第２の入力端子２２における入力電圧Ｖｉ２を表している。したがって、電源モジュールＰＭ２は、式（１０）により計算される制御電圧Ｖｉ２’に基づいて、負荷２の第２の入力端子２２の入力電圧Ｖｉ２が所望の値になるように出力電圧Ｖｏ２の値を調整することができる。
【００２９】
上記の説明では、電源モジュールＰＭ２が受け取る制御電圧Ｖｉ２’について説明されているが、他の電源モジュールが受け取る制御電圧も同様に求められる。例えば、電源モジュールＰＭ３が受け取る制御電圧Ｖｉ３’を求める場合には、式（１０）の中の数字「２」を「３」に置き換えればよい。したがって、式（１０）は、一般化すると、以下のように表される。
Ｖｉｋ’＝Ｖｏｋ−Ａｋ１＊（Ｖｏ１−Ｖｉ１）＊（Ｉｋ／Ｉ１）  ・・・（１１）
ただし、Ａｋ１＝Ｒｋ／Ｒ１
Ａｋ１：トリマＴｋ１によって調整される抵抗比
Ｒｋ：ケーブル３の出力信号線３ｋの抵抗
ｋ：２〜ｚの整数  
【００３０】
制御回路１１は、式（１１）の演算を行うことによって、負荷２の入力端子２２〜２ｚの入力電圧Ｖｉ２〜Ｖｉｚを表す制御電圧Ｖｉ２’〜Ｖｉｚ’を求めることができる。制御電圧Ｖｉ２’〜Ｖｉｚ’は、電源モジュールＰＭ２〜ＰＭｚに入力される。したがって、電源モジュールＰＭ２〜ＰＭｚは、制御回路１１から受け取った制御電圧Ｖｉ２’〜Ｖｉｚ’に基づいて、負荷２の入力電圧Ｖｉ２〜Ｖｉｚが所望の値になるように出力電圧Ｖｏ２〜Ｖｏｚの値を調整することができる。
【００３１】
第１の実施形態では、制御回路１１は、式（１１）の演算を行うことによって、負荷２の入力端子２２〜２ｚの入力電圧Ｖｉ２〜Ｖｉｚを表す制御電圧Ｖｉ２’〜Ｖｉｚ’を求めている。電源モジュールＰＭ２〜ＰＭｚは、制御回路１１から受け取った制御電圧Ｖｉ２’〜Ｖｉｚ’に基づいて、負荷２の入力電圧Ｖｉ２〜Ｖｉｚが所望の値になるように出力電圧Ｖｏ２〜Ｖｏｚの値を調整している。したがって、電源モジュールＰＭ２〜ＰＭｚは、負荷２の入力端子２２〜２ｚにおける入力電圧Ｖｉ２〜Ｖｉｚをリモートセンシングにより検出しなくても、負荷２の入力電圧Ｖｉ２〜Ｖｉｚを所望の値にすることができる。このため、電源モジュールＰＭ２〜ＰＭｚと負荷２との間には、リモートセンシング用の信号線が不要になり、ケーブル３に備えなければならないリモートセンシング用の信号線の総数を削減することができる。
【００３２】
図１および図２に示す電源装置１は、複数の電源電圧が必要となる負荷２を備えた装置に適用することができる。以下に、図１および図２に示す電源装置１を磁気共鳴イメージング装置に適用した例について説明する。
【００３３】
図３は、図１および図２に示す電源装置１を磁気共鳴イメージング装置に適用した例を示す図である。
【００３４】
磁気共鳴イメージング装置１００は、磁場発生装置２と、テーブル３と、受信コイル装置４と、制御装置５と、電源装置１と、ケーブル３と、入力装置６と、表示装置７とを有している。
【００３５】
磁場発生装置２は、被検体８が収容されるボア２１を有している。また、磁場発生装置２は、静磁場を印加するための超伝導コイルと、勾配磁場を印加するための勾配コイルと、ＲＦ（Radio Frequency）パルスを送信するための送信コイルとを内蔵している（図示せず）。
【００３６】
テーブル３は、被検体８を搬送するためのクレードル３１を有している。クレードル３１によって、被検体８はボア２１に搬送される。
【００３７】
受信コイル装置４は、被検体８に取り付けられている。受信コイル装置４は、複数のコイルエレメント４ａを有している。複数のコイルエレメント４ａで受信された磁気共鳴信号は、スイッチ２２を通じて複数の受信器２３に伝送される。
【００３８】
スイッチ２２および受信器２３は、磁場発生装置２に内蔵されている。スイッチ２２は、複数のコイルエレメント４ａと複数の受信器２３との接続を切り替えるためのスイッチング動作を行う。コイルエレメント４ａで受信された磁気共鳴信号は、スイッチ２２のスイッチング動作に従って、複数の受信器２３のうちのいずれかの受信器２３に伝送される。受信器２３は、受け取った磁気共鳴信号をデジタル変換するなどの信号処理を行い出力する。受信器２３から出力された信号は、制御装置５に入力される。
【００３９】
制御装置５は、シーケンサ５１、送信器５２、駆動回路５３、および中央処理装置５４を有している。
【００４０】
シーケンサ５１は、中央処理装置５４の制御を受けて、パルスシーケンスを実行するための情報を送信器５２および駆動回路５３に送る。
【００４１】
送信器５２は、シーケンサ５１から送られた情報に基づいて、ＲＦコイル（図示せず）を駆動する駆動信号を出力する。
【００４２】
駆動回路５３は、シーケンサ５１から送られた情報に基づいて、勾配コイル（図示せず）を駆動する駆動信号を出力する。
【００４３】
中央処理装置５４は、受信器２３から受け取った信号に基づいて画像を再構成するなど、ＭＲＩ装置１００の各種の動作を実現するように、ＭＲＩ装置１００の各部の動作を総括する。
【００４４】
電源装置１は、磁場発生装置２に内蔵されたスイッチ２２に電力を供給する。
【００４５】
入力装置６は、オペレータ９の操作に応答して、制御装置５に種々の命令などを伝送する。
【００４６】
表示装置７は、画像などを表示する。
【００４７】
磁気共鳴イメージング装置１００は、上記のように構成されている。
【００４８】
次に、磁場発生装置２に内蔵されたスイッチ２２および受信器２３と、ケーブル３と、電源装置１との接続関係について説明する。
【００４９】
図４は、磁場発生装置２に内蔵されたスイッチ２２および受信器２３と、ケーブル３と、電源装置１との接続関係の説明図である。
【００５０】
電源装置１の電源モジュールＰＭ１は、ケーブル３の出力信号線３１ａを通じて、スイッチ２２の第１の入力端子２２１に電圧を出力し、リモートセンシング用の信号線３１ｂを通じて、スイッチ２２の第１の入力端子２２１における電圧を検出する。また、電源モジュールＰＭ２〜ＰＭｚは、ケーブル３の出力信号線３２〜３ｚを通じて、スイッチ２２の入力端子２２２〜２２ｚに電圧を出力する。
【００５１】
電源装置１の制御回路１１は、式（１１）の演算を行うことによって、スイッチ２２の入力端子２２２〜２２ｚの入力電圧Ｖｉ２〜Ｖｉｚを表す制御電圧Ｖｉ２’〜Ｖｉｚ’を求めている。電源モジュールＰＭ２〜ＰＭｚは、制御回路１１から受け取った制御電圧Ｖｉ２’〜Ｖｉｚ’に基づいて、スイッチ２２の入力電圧Ｖｉ２〜Ｖｉｚが所望の値になるように出力電圧Ｖｏ２〜Ｖｏｚの値を調整している。したがって、電源モジュールＰＭ２〜ＰＭｚは、スイッチ２２の入力端子２２２〜２２ｚにおける入力電圧Ｖｉ２〜Ｖｉｚをリモートセンシングにより検出しなくても、スイッチ２２の入力電圧Ｖｉ２〜Ｖｉｚを所望の値にすることができる。このため、電源モジュールＰＭ２〜ＰＭｚとスイッチ２２との間には、リモートセンシング用の信号線が不要になり、ケーブル３に備えなければならないリモートセンシング用の信号線の総数を削減することができる。
【００５２】
（２）第２の実施形態
図５は、本発明の第２の実施形態の電源装置１０を示す図である。
第２の実施形態の電源装置１０は、第１の実施形態の電源装置１とは異なり、電流測定回路ＣＭ１〜ＣＭｚを備えていないが、その他の構成は、第１の実施形態の電源装置１と同じである。
【００５３】
第２の実施形態では、電流測定回路ＣＭ１〜ＣＭｚが備えられていないが、制御回路１１は、電源モジュールＰＭ２〜ＰＭｚに出力する制御電圧Ｖｉ２’〜Ｖｉｚ’を求めることができる。以下に、制御回路１１がどのようにして制御電圧Ｖｉ２’〜Ｖｉｚ’を求めているかについて説明する。尚、以下では、説明の便宜上、代表して、電源モジュールＰＭ２に出力する制御電圧Ｖｉ２’の算出方法について説明するが、その他の電源モジュールに出力する制御電圧の算出方法についても、同様の方法によって算出することができる。
【００５４】
負荷２で消費される消費電流は、負荷２の種類によって異なる。したがって、電源装置１０に別の負荷２を接続すると、それに応じて、ケーブル３に流れる電流Ｉ１およびＩ２の値も変化する。しかし、電源装置１０に接続される負荷２の種類が特定されれば、ケーブル３に流れる電流Ｉ１およびＩ２の値は決まる。したがって、以下の関係式が成り立つ。
Ｉ２／Ｉ１＝Ｂ２１    ・・・（１２）
【００５５】
また、式（１０）および式（１２）から、以下の式が成り立つ。
Ｖｉ２’＝Ｖｏ２−（Ａ２１＊Ｂ２１）＊（Ｖｏ１−Ｖｉ１）  ・・・（１３）
【００５６】
式（１３）より、Ｖｏ２、Ａ２１＊Ｂ２１、Ｖｏ１、およびＶｉ１の値を得ることができれば、入力電圧Ｖｉ２が求まることが分かる。Ｖｏ２、Ｖｏ１、およびＶｉ１は、第１の実施形態と同様に求めることができるので、（Ａ２１＊Ｂ２１）を求めることができれば、式（１３）に従って入力電圧Ｖｉ２を求めることができる。Ａ２１は抵抗比であり（式（７）参照）、Ｂ２１は電流比である（式（１１）参照）。抵抗比Ａ２１は、使用されるケーブル３の種類が決まれば、ケーブル３の長さに関わらず決まった値になり、電流比Ｂ２１は、使用される負荷２の種類が決まれば決まった値になる。したがって、電源装置１を使用するユーザが、使用される負荷２およびケーブル３の種類に従ってトリマＴ２１を調整することによって、制御回路１１は、Ａ２１／Ｂ２１の値を得ることができる。このため、電源モジュールＰＭ２は、入力電圧Ｖｉ２が所望の値になるように出力電圧Ｖｏ２の値を調整することができる。
【００５７】
第２の実施形態でも、第１の実施形態と同様に、電源モジュールＰＭ２〜ＰＭｚは、スイッチ２２の入力端子２２２〜２２ｚにおける入力電圧Ｖｉ２〜Ｖｉｚをリモートセンシングにより検出しなくても、スイッチ２２の入力電圧Ｖｉ２〜Ｖｉｚを所望の値にすることができる。したがって、電源モジュールＰＭ２〜ＰＭｚとスイッチ２２との間には、リモートセンシング用の信号線が不要になり、ケーブル３に備えなければならないリモートセンシング用の信号線の総数を削減することができる。
【符号の説明】
【００５８】
１  電源装置
２  負荷
３  ケーブル
１１  制御回路
１２  トリマ
３１ａ、３２〜３ｚ  出力信号線
３１ｂ  リモートセンシング用信号線
【図１】
0005420366.tif 000002
【図２】
0005420366.tif 000003
【図３】
0005420366.tif 000004
【図４】
0005420366.tif 000005
【図５】
0005420366.tif 000006